(57)【要約】【課題】コイン経路に関して小型化が容易で製造コストを抑えることが可能なコイン投入装置を提供する。【解決手段】コイン投入装置は、利用者がコインＣを一度に一枚落下させて通過させることが可能な第１の受付口１０と、複数のコインＣが収容可能であって、収容されたコインを利用者が滑らせながら上昇させるための斜面１６ａを有するコイン容器１２と、第１の受付口１０よりも下方、かつ斜面１６ａの上端よりも下方にあり、コインＣが一度に一枚通過可能な第２の受付口２０とを備える。また、コイン投入装置は、コインＣが滑り落ちるシュート２を備え、シュート２は、第１の受付口１０を通過したコインＣおよび斜面１６ａ上を上昇させられたコインＣが第２の受付口２０を通過するようにコインＣを案内する。【選択図】図１
2011118791.tif 000002
【特許請求の範囲】
【請求項１】
利用者がコインを一度に一枚落下させて通過させることが可能な第１の受付口と、
前記第１の受付口よりも下方に配置され、上方に向けて開口しており、複数のコインが収容可能であるコイン容器と、
前記第１の受付口よりも下方に位置し、前記コイン容器に収容されたコインを利用者が投入可能な第２の受付口と、
前記第１の受付口を通過したコインおよび前記第２の受付口を通過したコインを案内するシュートとを備えることを特徴とするコイン投入装置。
【請求項２】
前記コイン容器に収容されたコインを利用者が滑らせながら上昇させるための斜面をさらに備え、
前記第２の受付口は、前記斜面の上端よりも下方にあり、前記斜面の上端から落下して前記シュートを滑り落ちるコインおよび前記第１の受付口を通過して前記シュートを滑り落ちるコインが一度に一枚通過可能であることを特徴とする請求項１に記載のコイン投入装置。
【請求項３】
前記第２の受付口は、前記コイン容器の前記斜面の上端の直下に配置されており、前記斜面を持つ壁と前記シュートとで画定されていることを特徴とする請求項２に記載のコイン投入装置。
【請求項４】
前記斜面は、前記コイン容器の底壁により形成されていることを特徴とする請求項２または請求項３に記載のコイン投入装置。
【請求項５】
前記第１の受付口を通過させるべき複数のコインを載せることが可能なコイン載せ台をさらに備え、前記コイン載せ台は、前記第１の受付口に近い第１の端部と、前記第１の受付口から遠い第２の端部を有し、前記第２の端部は、前記コイン容器または前記シュートの真上に配置されていることを特徴とする請求項１から請求項４のいずれか１項に記載のコイン投入装置。
【発明の詳細な説明】
【技術分野】
【０００１】
本発明は、ゲーム装置にコインを投入するために利用されるコイン投入装置に関する。
【背景技術】
【０００２】
コインを利用するゲーム装置の例としては、コインプッシャー（coin pusher）およびスロットマシンが知られている。このようなゲーム装置には、コインを投入するためのコイン投入装置が設けられる。
【０００３】
特許文献１には、コインプッシャーに利用されるコイン投入機構が開示されている。このコイン投入機構は、コインを貯留する貯留部と、貯留部から利用者がコインを滑らせながら上方に移動させるための第１の傾斜壁と、第１の傾斜壁上を移動させられたコインが滑り落ちながら一度に一枚通過する第１の投入口を有する。さらに、このコイン投入機構は、貯留部から利用者がコインを滑らせながら上方に移動させるための第２の傾斜壁と、第２の傾斜壁上を移動させられたコインが滑り落ちながら一度に一枚通過する第２の投入口を有する。利用者が第１または第２の傾斜壁を利用してコインを貯留部から上方に移動させ、第１または第２の投入口の上流でコインから手を離すと、コインが滑り落ちて第１または第２の投入口を通過する。
【０００４】
このコイン投入機構において複数のコインを連続的に投入するには、利用者は複数のコインを第１または第２の投入口の上流の区域に置けばよい。コインは一度に一枚第１または第２の投入口を通過し、結果的に複数のコインが連続的に投入される。このコイン投入機構によれば、コインの連続投入が容易であるため、利用者はコインの操作に煩わしい思いをせずにゲームに熱中することができる。このコイン投入機構は、コインの投入操作に習熟していない利用者にとって便利である。
【先行技術文献】
【特許文献】
【０００５】
【特許文献１】特開２００７−５４４８９号公報
【発明の概要】
【発明が解決しようとする課題】
【０００６】
しかし、特許文献１に記載のコイン投入機構では、第１の傾斜壁と第１の投入口を持つコイン経路と、第２の傾斜壁と第２の投入口を持つコイン経路が別個に設けられており、機構が大型になるとともに製造コストがかかる。
【０００７】
そこで、本発明は、コイン経路に関して小型化が容易で製造コストを抑えることが可能なコイン投入装置を提供する。
【課題を解決するための手段】
【０００８】
本発明に係るコイン投入装置は、利用者がコインを一度に一枚落下させて通過させることが可能な第１の受付口と、前記第１の受付口よりも下方に配置され、上方に向けて開口しており、複数のコインが収容可能であるコイン容器と、前記第１の受付口よりも下方に位置し、前記コイン容器に収容されたコインを利用者が投入可能な第２の受付口と、前記第１の受付口を通過したコインおよび前記第２の受付口を通過したコインを案内するシュートとを備える。
この構成によれば、シュートが第１の受付口と第２の受付口の両方に利用されるので、別々のコイン経路を設ける必要がない。このため、コイン経路に関しては装置の構成部材を共有できるので、製造コストを抑えることが可能である。
【０００９】
好ましくは、コイン投入装置は、前記コイン容器に収容されたコインを利用者が滑らせながら上昇させるための斜面をさらに備え、前記第２の受付口は、前記斜面の上端よりも下方にあり、前記斜面の上端から落下して前記シュートを滑り落ちるコインおよび前記第１の受付口を通過して前記シュートを滑り落ちるコインが一度に一枚通過可能である。
この構成によれば、利用者が第１の受付口を通過させたコインは、シュートを滑り落ちて第２の受付口を通過する。コイン容器から利用者が斜面を滑らせながら上昇させたコインも、斜面の上端から落下した後、シュートを滑り落ちて第２の受付口を通過する。第１の受付口は、利用者がコインを一度に一枚落下させて通過させることが可能な構造を有するため、コインの操作に習熟した利用者は、複数のコインを連続的に投入する場合、所望の時期にコインの各々を第１の受付口に挿入すればよい。これにより、コインの操作に習熟した利用者は、所望の時期に各コインをゲーム装置に投入することが可能である。
他方、コインの操作に未熟な利用者は、コイン容器から斜面を滑らせながらコインを上昇させ、シュートに供給すればよい。斜面を使って複数のコインを連続的に投入する場合、各コインがゲーム装置に投入される時期は、利用者がコインから手を離す時期に依存せず、実際にコインが第２の受付口を通過する時期に依存する。しかし、斜面を使ってコインを投入する場合には、第１の受付口を使用する場合に比べて、コインを容易にゲーム装置に投入することができる。斜面を利用してコインを上昇させることによって、コインも傾斜するので、斜面の上端からシュート上に落下したコインが第２の受付口に入りやすくなる。従って、コインの操作に未熟な利用者も習熟した利用者も満足するであろう。
また、同じ利用者が利用する場合においても、ゲームの状態または場面に応じて第１の受付口と第２の受付口を使い分けることが可能である。
【００１０】
前記第２の受付口は、前記コイン容器の前記斜面の上端の直下に配置されており、前記斜面を持つ壁と前記シュートとで画定されていると好ましい。
この構成によれば、第１の受付部を通過して落下したコインはシュートを滑り落ちて直ちに第２の受付口を通過する。他方、利用者が斜面を滑らせながらコインを上昇させる場合には、このコインが斜面の上端を乗り越えた後に、シュートに落下し、シュートを滑り落ちて直ちに第２の受付口を通過する。従って、コイン容器から第２の受付口への経路を簡単に形成することができる。
【００１１】
前記斜面は、前記コイン容器の底壁により形成されていると好ましい。これにより、コイン容器から直ちに斜面を利用してコインを簡単に上昇させることが可能である。また、斜面から第２の受付口に挿入し損なったコインはコイン容器に戻り、再び斜面上を上昇させることができる。
【００１２】
このコイン投入装置は、前記第１の受付口を通過させるべき複数のコインを載せることが可能なコイン載せ台をさらに備え、前記コイン載せ台は、前記第１の受付口に近い第１の端部と、前記第１の受付口から遠い第２の端部を有し、前記第２の端部は、前記コイン容器または前記シュートの真上に配置されていると好ましい。利用者は、第１の受付口を使用してコインを投入する場合には、コイン載せ台上に複数のコインを一時的に載せておくことができる。コイン載せ台により、第１の受付口へ投入するために待機させる複数のコインの位置を安定させることができ、投入のし易さを向上させることが可能である。これにより、複数のコインを連続して第１の受付口に投入する場合に、利用者は、各コインの投入タイミングを取りやすい。また、仮にコイン載せ台の第２の端部から誤ってコインが転落した場合でも、第２の端部は上方に向けて開口したコイン容器の真上またはシュートの真上に配置されているので、コイン容器またはシュートがそのコインを受け止めることができる。このように、コイン投入装置からコインが落下することが防止されている。
【図面の簡単な説明】
【００１３】
【図１】本発明の一実施の形態に係るコイン投入装置を示す斜視図である。
【図２】前記コイン投入装置を別の方向から見た斜視図である。
【図３】前記コイン投入装置を別の方向から見た斜視図である。
【図４】前記コイン投入装置を斜め下方から見た斜視図である。
【図５】前記コイン投入装置の一つの使用方法を示す斜視図である。
【図６】前記コイン投入装置の第１の受付口およびその付近を示す図１のＶＩ−ＶＩ線矢視図である。
【図７】前記コイン投入装置の第２の受付口およびその付近を示す図１のＶＩＩ−ＶＩＩ線矢視図である。
【図８】前記コイン投入装置の斜面を持つ壁の断面図である。
【図９】前記斜面を持つ壁の変形例の断面図である。
【図１０】前記斜面を持つ壁の他の変形例の断面図である。
【図１１】前記斜面を持つ壁の他の変形例の断面図である。
【図１２】前記コイン投入装置の他の一つの使用方法を示す斜視図である。
【発明を実施するための形態】
【００１４】
以下、添付の図面を参照しながら本発明に係る一実施の形態を説明する。この実施の形態に係るコイン投入装置は、図示しないゲーム装置に所定の寸法を有するコインＣを投入するために利用される。コインとは、円板形の物体であって、通貨としてのコインでもよいし、トークンコイン（token coin）でもよく、メダルと呼ばれることもある。従って、本発明に係るコイン投入装置をメダル投入装置と呼ぶこともできる。図面において、コインＣは仮想線で示されている。
【００１５】
図１ないし図４に示すように、本発明の一実施の形態に係るコイン投入装置は、湾曲した平板であるシュート２と、シュート２の両サイドにあるほぼ平行な二つの側壁（第１の側壁４、第２の側壁６）を有する。シュート２、第１の側壁４および第２の側壁６は、コインＣを案内する通路を形成する。コインＣは、その片面がシュート２に面した状態で、シュート２上を滑り落ちる。
【００１６】
図１ないし図３に示すように、コイン投入装置の上部には、利用者がコインＣを一度に一枚落下させて通過させることが可能な第１の受付口１０が配置されている。第１の受付口１０を通過したコインＣは、シュート２を滑り落ちる。
【００１７】
第１の側壁４はその上部に横方向に伸びる突出部４ａを有し、第２の側壁６もその上部に突出部４ａと同様に横方向に伸びる突出部６ａを有する。突出部４ａ，６ａの間には、平板状のコイン載せ台８が取り付けられている。コイン載せ台８には、図５に示すように、第１の受付口１０を通過させるべき複数のコインＣを載せることができる。コイン載せ台８には、図５に示すようなコインＣをほぼ直立状態にした状態でコイン載せ台８に載せることを容易にするためのコインガイド溝である凹部８ａが形成されている。凹部８ａの面は、シュート２に近い方が低くなるようにやや傾いている。コイン載せ台８の両側に配置された突出部４ａ，６ａにより、コイン載せ台８の上に配置されたコインＣはコイン載せ台８から落下しがたくなっている。
【００１８】
シュート２は、コイン載せ台８よりも上方に伸びている。すなわちシュート２の上部２ａは、コイン載せ台８よりも上方に突出している。
【００１９】
第１の受付口１０は、シュート２の上部２ａと、側壁４，６の突出部４ａ，６ａと、コイン載せ台８の一端（シュート２に近い方の第１の端部）とによって画定されている。第１の受付口１０の寸法は、コインＣが一度に一枚通過可能なように設計されている。具体的には、図６に示すように、第１の受付口１０は、コインＣの直径よりも大きな長さを有しており、コインＣの厚さよりも大きな幅ｗ１を有する。但し、第１の受付口１０の幅ｗ１は２枚のコインＣの厚さの合計よりも十分小さいので、複数のコインＣが第１の受付口１０で詰まることが防止されている。 
【００２０】
図１ないし図３に示すように、コイン投入装置の下部には、上方に向けて開口しており、複数のコインＣが収容可能であるコイン容器１２が設けられている。コイン容器１２は、湾曲側壁１４と、第１の側壁４の下部４ｂと、底壁１６とで形成されている。図１ないし図４に示すように、湾曲側壁１４の一端は、第２の側壁６の途中部分に固定されており、他端は第１の側壁４の下部４ｂの端部に固定されている。
【００２１】
コイン容器１２の底壁１６上には、複数のコインＣがそれらの片面が底壁１６に対面する状態で置かれる。底壁１６は、図１の左側ほど高くなるように緩やかに傾いた斜面１６ａを有する。利用者は、コイン容器１２に収容された複数のコインＣを斜面１６ａを滑らせながら上昇させることができる。
【００２２】
斜面１６ａの上端１６ｂの直下すなわち裏側には、コインＣが一度に一枚通過可能な第２の受付口２０が配置されている。第２の受付口２０は、斜面１６ａの上端１６ｂを持つ底壁１６と、シュート２と、側壁４，６で画定されている。第２の受付口２０の寸法は、コインＣが一度に一枚通過可能なように設計されている。具体的には、図７に示すように、第２の受付口２０は、コインＣの厚さよりも大きな幅ｗ２を有する。但し、第２の受付口２０の幅ｗ２は２枚のコインＣの厚さの合計よりも十分小さいので、複数のコインＣが第２の受付口２０で詰まることが防止されている。
【００２３】
利用者が底壁１６の斜面１６ａ上を上昇させたコインＣは、斜面１６ａの上端１６ｂを乗り越えて、一旦シュート２に転落する。そしてそのコインＣはシュート２を滑り落ちて第２の受付口２０を通過する。他方、第１の受付口１０を通過して落下したコインＣもシュート２を滑り落ちて第２の受付口２０を通過する。
【００２４】
図３に最も良好に示すように、底壁１６の斜面１６ａの上端１６ｂは、コインＣの進行方向に対して斜めに形成されている。従って、第２の受付口２０の長さＬは、コインＣの通路の側壁４，６の間隔ＩＮＴよりも広く、これによりコインＣが第２の受付口２０を通過しやすくなっており、第２の受付口２０の上方でのシュート２上でのコインＣの渋滞を回避することが可能である。
【００２５】
コイン投入装置の下部において、コイン容器１２の底壁１６とシュート２は互いに間隙をおいて部分的に重なっており、コインＣはこの重なり部分を通過する。図４に示すように、この重なり部分は開口部２２を有しており、重なり部分を通過したコインＣは開口部２２から落下して、図示しないゲーム装置に供給される。
【００２６】
図８に示すように、斜面１６ａは上端１６ｂの付近に平坦面１７を有する。この平坦面１７も斜面１６ａの一部である。但し、図９ないし図１１に示すように、斜面１６ａの上端１６ｂの付近の構造は、図８に示すものに限定されない。図９に示すように、上端１６ｂ付近が丸みを帯びていてもよいし、図１０に示すように、上端１６ｂが尖っていてもよいし、図１１に示すように、上端１６ｂを挟んで斜面１６ａとは反対側に小さい別の斜面があってもよい。
【００２７】
図５を参照し、この実施の形態に係るコイン投入装置の一つの使用方法を説明する。この使用方法は、コインの操作に習熟した利用者に適している。利用者は、第１の受付口１０を通じてコインＣを通過させる。利用者が第１の受付口１０を通過させたコインＣは、シュート２を滑り落ちて第２の受付口２０を通過し、図４に示す開口部２２から落下して、図示しないゲーム装置に供給される。
【００２８】
第１の受付口１０は、利用者がコインＣを一度に一枚落下させて通過させることが可能な構造を有するため、コインの操作に習熟した利用者は、複数のコインＣを連続的に投入する場合、所望の時期にコインＣの各々を第１の受付口１０に挿入すればよい。これにより、コインの操作に習熟した利用者は、所望の時期に各コインＣをゲーム装置に投入することが可能である。
【００２９】
第１の受付口１０を使って複数のコインＣを連続的に投入する場合、図５に示すように、利用者はコイン載せ台８を使用することができる。利用者は、コイン載せ台８の凹部８ａに、ほぼ直立状態にした複数のコインＣを一時的に載せることができる。そして、利用者は、これらのコインＣを操作し、一度に一枚のコインＣを第１の受付口１０の真上に位置させる。例えば、親指Ｔと人差し指Ｆで複数のコインＣをつまんで、親指Ｔを適切に動かすことにより所望時に一枚ずつコインＣを解放して第１の受付口１０を通過させることができる。この時、シュート２の上部２ａは、コインＣを第１の受付口１０に案内するガイドとして機能する。つまり、シュート２の上部２ａは、第１の受付口１０よりも図５の左方向に位置しないよう規制するガードの役割を果たし、これにより、コインＣがコイン投入装置から落下しないようにする。このように、シュート２の上部２ａがガードの役割を果たすので、利用者は容易にコインＣを第１の受付口１０に挿入することができる。
【００３０】
コイン載せ台８により、第１の受付口１０へ投入するために待機させる複数のコインＣの位置を安定させることができ、投入のし易さを向上させることが可能である。これにより、複数のコインＣを連続して第１の受付口１０に投入する場合に、利用者は、各コインＣの投入タイミングを取りやすい。
【００３１】
コイン容器１２は第１の受付口１０よりも下方に配置され、上方に向けて開口している。また、コイン載せ台８は、第１の受付口１０に近く第１の受付口１０を形成する第１の端部と、第１の受付口１０から遠い第２の端部を有し、第２の端部は、コイン容器１２の真上に配置されている。このため、仮にコイン載せ台８の第２の端部からコインＣが誤って転落した場合でも、コイン容器１２がそのコインを受け止めることができる。このように、コイン投入装置からコインが落下することが防止されている。
【００３２】
図１２を参照し、この実施の形態に係るコイン投入装置の他の一つの使用方法を説明する。この使用方法は、コインの操作に未熟な利用者に適している。利用者は、手（例えば掌）を使ってコイン容器１２から底壁１６の斜面１６ａを滑らせながら１つ以上のコインＣを上昇させ、斜面１６ａの上端１６ｂを乗り越えさせ、コインＣから手を離してシュート２に落下させる。これらのコインＣも、シュート２を滑り落ちて第２の受付口２０を通過し、図４に示す開口部２２から落下して、図示しないゲーム装置に供給される。第２の受付口２０は、コインＣが一度に一枚落下して通過することが可能な構造を有するため、ゲーム装置には、一度に一枚コインＣが供給される。
【００３３】
斜面１６ａを使って１以上のコインＣを投入する場合、コインＣがゲーム装置に投入される時期は、利用者がコインＣから手を離す時期に依存せず、実際にコインＣが第２の受付口２０を通過する時期に依存する。実際にコインＣが第２の受付口２０を通過する時期ひいてはコインＣがゲーム装置に投入される時期は、コインＣが落下したシュート２上の位置および落下前にコインＣに与えられた加速度に依存する。さらに、斜面１６ａを使って複数のコインＣを投入する場合、第２の受付口２０にすぐ近い上流にあるコインＣは直ちに第２の受付口２０を通過するが、それより上流にある後続する他のコインＣは先行するコインＣが第２の受付口２０を通過するまで第２の受付口２０を通過しない。従って、利用者が１以上のコインＣから手を離した後は、コインＣが第２の受付口２０を通過する時期をコントロールすることは困難である。しかし、利用者が斜面１６ａをコインの投入に使う場合には、第１の受付口１０を使用する場合に比べて、コインＣを容易にゲーム装置に投入することができる。斜面１６ａを利用してコインＣを上昇させることによって、コインＣも傾斜するので、斜面の上端からシュート２上に落下したコインが第２の受付口２０に入りやすくなる。
【００３４】
斜面１６ａはコイン容器１２の底壁１６により形成されている。このため、コイン容器１２から直ちに斜面１６ａを利用してコインＣを簡単に上昇させることが可能である。また、斜面１６ａからコインＣを第２の受付口２０に挿入し損なった場合でも、そのコインＣは、第１の側壁４の下部４ｂと湾曲側壁１４とで包囲されたコイン容器１２に戻り、再び斜面１６ａ上を上昇させることができる。このように、コイン投入装置からコインＣが落下することが防止されている。
【００３５】
以上から明らかなように、コインの操作に未熟な利用者も習熟した利用者も満足するであろう。この実施の形態では、第２の受付口２０およびシュート２がこれらの二つの用途に利用されるので、各用途のために別々のコイン経路を設ける必要がない。このため、コイン経路に関しては装置の構成部材を共有できるので、製造コストを抑えることが可能である。
【００３６】
また、同じ利用者が利用する場合においても、ゲームの状態または場面に応じて第１の受付口１０と第２の受付口２０を使い分けることが可能である。例えば、ゲーム装置が、コインの投入時期が適切であれば利用者に利益が与えられる第１のモードと、コインの投入時期と利用者に与えられる利益が無関係な第２のモードを有する場合、第１のモードでは利用者が第１の受付口１０を使用し、第２のモードでは利用者が第２の受付口２０を使用することができる。あるいは、コインの操作に習熟した利用者でも疲れた時には、第２の受付口２０を使用することができる。
【００３７】
この実施の形態では、第２の受付口２０は、コイン容器１２の斜面１６ａの上端の直下に配置されており、斜面１６ａの上端１６ｂを持つ底壁１６とシュート２とで画定されている。このため、第１の受付部１０を通過して落下したコインＣはシュート２を滑り落ちて直ちに第２の受付口２０を通過する。他方、利用者が斜面１６ａを滑らせながらコインＣを上昇させる場合には、このコインＣが斜面１６ａの上端１６ｂを乗り越えた後に、シュート２に落下し、シュート２を滑り落ちて直ちに第２の受付口２０を通過する。従って、コイン容器１２から第２の受付口２０への経路が簡単に形成されている。また、あまりに多いコインＣを斜面１６ａからシュート２に落下させた場合には、一部のコインＣが第２の受付口２０を通過する一方、他のコインＣはシュート２から斜面１６ａを経てコイン容器１２に戻り、再び斜面１６ａ上を上昇させることができる。
【００３８】
この実施の形態に係るコイン投入装置が利用されるゲーム装置は、図示されていないが、例えば、好ましくはコインプッシャー（メダルプッシャーと呼ばれることもある）である。コインの投入によりゲームを進行させるタイプのゲーム装置には、例えばコインプッシャーのように、適切な時期にコインを投入することでゲームを有利に進行させるようなゲーム装置がある。ゲーム装置がコインプッシャーの場合には、所望の時期に各コインをゲーム装置に投入したい要望が高いと考えられる。第１の受付口１０は、このような要望にマッチする。
【００３９】
但し、このコイン投入装置が利用されるゲーム装置は、スロットマシンまたは他のコインを使用するゲーム装置でもよい。通常のモード（上記の第２のモード）ではコインの投入時期と無関係にゲームが進行するゲーム装置であっても、コインの投入時期とゲームの進行が関連付けられたモード（上記の第１のモード）を有することがある。これらのゲーム機をプレイする場合においては、コインの投入タイミングを思い通りにコントロールすることは重要となる。
【００４０】
上記の通り、この実施の形態に係るコイン投入装置では、コイン載せ台８の第２の端部（第１の受付口１０から遠いの端部）は、コイン容器１２の真上に配置されている。但し、コイン載せ台８の第２の端部（第１の受付口１０から遠いの端部）は、シュート２の真上に配置されていてもよい。この場合、仮にコイン載せ台８の第２の端部からコインＣが誤って転落した場合でも、シュート２がそのコインを受け止めることができる。従って、コイン投入装置からコインが落下することが防止できる。
【符号の説明】
【００４１】
２…シュート、４…第１の側壁、６…第２の側壁、１０…第１の受付口、８…コイン載せ台、１２…コイン容器、１６…底壁、１６ａ…斜面、１６ｂ…上端、２０…第２の受付口。
【図１】
2011118791.tif 000003
【図２】
2011118791.tif 000004
【図３】
2011118791.tif 000005
【図４】
2011118791.tif 000006
【図５】
2011118791.tif 000007
【図６】
2011118791.tif 000008
【図７】
2011118791.tif 000009
【図８】
2011118791.tif 000010
【図９】
2011118791.tif 000011
【図１０】
2011118791.tif 000012
【図１１】
2011118791.tif 000013
【図１２】
2011118791.tif 000014